(57)【要約】【課題】より好適な使い勝手を実現する携行品管理装置及び携行品管理方法を提供することを目的とする。【解決手段】上記課題を解決するために、携行品管理装置であって、携行品に設けられた無線タグのタグ情報を読み取るリーダ部と、リーダ部で読み取ったタグ情報を記憶する記憶部と、記憶部に記憶したタグ情報とリーダ部により新たに読み取ったタグ情報とを照合して携行品忘れの判定を行う制御部とを備えた構成とする。【選択図】図４
2017117290.tif 000002
【特許請求の範囲】
【請求項１】
携行品に設けられた無線タグのタグ情報を読み取るリーダ部と、
前記リーダ部で読み取ったタグ情報を記憶する記憶部と、
前記記憶部に記憶したタグ情報と前記リーダ部により新たに読み取ったタグ情報とを照合して携行品忘れの判定を行う制御部と
を備えたことを特徴とする携行品管理装置。
【請求項２】
請求項１に記載の携行品管理装置であって、
位置算出信号を取得する信号受信部と、
前記信号受信部が受信した位置算出信号から位置情報を取得する位置情報取得部とを有し、
前記記憶部は、前記リーダ部で読み取ったタグ情報と前記位置情報取得部で取得した位置情報を記憶し、
前記制御部は、前記記憶部に記憶された位置情報の位置から所定の範囲外に移動したときに前記リーダ部により新たにタグ情報の読み取りを行い、該新たに読み取ったタグ情報と前記記憶部に記憶したタグ情報とを照合して携行品忘れの判定を行うことを特徴とする携行品管理装置。
【請求項３】
請求項１に記載の携行品管理装置であって、
スケジュール情報を取得するスケジュール情報取得部と、
前記スケジュール情報取得部が取得したスケジュール情報から移動先位置情報を取得する移動先位置情報取得部とを有し、
前記記憶部は、前記リーダ部で読み取ったタグ情報と前記移動先位置情報取得部で取得した移動先位置情報を記憶し、
前記制御部は、前記記憶部に記憶された移動先位置情報の位置から所定の範囲外に移動したときに前記リーダ部により新たにタグ情報の読み取りを行い、該新たに読み取ったタグ情報と前記記憶部に記憶したタグ情報とを照合して携行品忘れの判定を行うことを特徴とする携行品管理装置。
【請求項４】
携行品に設けられた無線タグのタグ情報を読み取る第１のタグ情報読取工程と、
前記第１のタグ情報読取工程で読み取ったタグ情報を記憶する工程と、
携行品に設けられた無線タグのタグ情報を読み取る第２のタグ情報読取工程と、
前記記憶したタグ情報と第２のタグ情報読取工程で読み取ったタグ情報を照合して携行品忘れの判定を行う工程と
を有することを特徴とする携行品管理方法。
【請求項５】
請求項４に記載の携行品管理方法であって、
位置情報を取得する位置情報取得工程と、
前記位置情報取得工程で取得した位置情報を記憶する工程と、
前記記憶した位置情報の位置から所定の範囲外に移動したことを検出する移動検出工程とを有し、
前記第２のタグ情報読取工程は、前記移動検出工程で移動したことを検出したときに携行品に設けられた無線タグのタグ情報を読み取る
ことを特徴とする携行品管理方法。
【請求項６】
請求項４に記載の携行品管理方法であって、
スケジュール情報を取得するスケジュール情報取得工程と、
前記スケジュール情報取得工程で取得したスケジュール情報から移動先位置情報を取得する移動先位置情報取得工程と、
前記移動先位置情報を記憶する工程と、
前記記憶した移動先位置情報の位置から所定の範囲外に移動したことを検出する移動検出工程とを有し、
前記第２のタグ情報読取工程は、前記移動検出工程で移動したことを検出したときに携行品に設けられた無線タグのタグ情報を読み取る
ことを特徴とする携行品管理方法。
【発明の詳細な説明】
【技術分野】
【０００１】
本発明は、携行品管理装置及び携行品管理方法に関する。
【背景技術】
【０００２】
従来、子供が通学する際の教材等の忘れ物を防止するため、無線タグを用いた忘れ物検知システムが提案されている。
【０００３】
一例として、特開２０１４−４４５２２号公報（特許文献１）には、読取可能範囲内に存在する物品に設けられた無線タグのタグデータを読み取るリーダと、予定と当該予定に用いられる物品とを対応付けたスケジュールデータに基づいて、所持すべき物品に設けられた無線タグのタグデータを抽出し、抽出されたタグデータと前記リーダによって読み取られるタグデータとを照合することにより、忘れ物を検出する制御部とを備える携帯通信装置が記載されている。
【先行技術文献】
【特許文献】
【０００４】
【特許文献１】特開２０１４−４４５２２号公報
【発明の概要】
【発明が解決しようとする課題】
【０００５】
特許文献１のように、スケジュールデータに基づいて所持すべき物品を決定するシステムは、スケジュールに従って予め所持すべき物品が決まっている必要がある。しかし、旅行や出張のような非定常的なスケジュールでは所持すべき物品が常に同じではないため、その度ごとに予め所持すべき物品を登録する必要があり、煩わしいという問題がある。また、旅行先や出張先など、自宅以外の場所での忘れ物の検出に対応していないという問題があった。
【０００６】
本発明の目的は、前記問題を考慮し、より好適な使い勝手を実現する携行品管理装置及び携行品管理方法を提供することである。
【課題を解決するための手段】
【０００７】
上記課題を解決するために、本発明は、その一例を挙げるならば、携行品管理装置であって、携行品に設けられた無線タグのタグ情報を読み取るリーダ部と、リーダ部で読み取ったタグ情報を記憶する記憶部と、記憶部に記憶したタグ情報とリーダ部により新たに読み取ったタグ情報とを照合して携行品忘れの判定を行う制御部とを備えた構成とする。
【発明の効果】
【０００８】
本発明により、より好適な使い勝手を実現する携行品管理装置及び携行品管理方法を提供することができる。
【図面の簡単な説明】
【０００９】
【図１Ａ】実施例１に係る携行品管理装置の構成例を示すブロック図である。
【図１Ｂ】実施例１に係る携行品管理装置のソフトウェア構成例を示す図である。
【図２】実施例１に係る携行品管理装置を含む携行品管理システムの構成例を示す図である。
【図３】実施例１に係る携行品管理装置の外観例、及び基本画面の表示例を示す図である。
【図４】実施例１に係る携行品管理装置の携行品管理機能実行部の動作例を説明するフローチャートである。
【図５】実施例１に係る携行品管理装置の携行品管理処理選択画面の表示例を示す図である。
【図６】実施例１に係る携行品管理装置の携行品登録処理の一例を示すフローチャートである。
【図７】実施例１に係る携行品管理装置の携行品確認処理の一例を示すフローチャートである。
【図８】実施例１に係る携行品管理装置の携行品リスト画面の表示例を示す図である。
【図９】実施例２に関わる携行品管理装置の携行品管理機能実行部の動作例を説明するフローチャートである。
【図１０】実施例２に関わる携行品管理装置の携行品管理処理選択画面の表示例を示す図である。
【図１１】実施例２に関わる携行品管理装置の携行品管理場所登録処理の一例を示すフローチャートである。
【図１２】実施例２に関わる携行品管理装置の携行品管理場所登録処理における画面表示例を示す図である。
【図１３】実施例２に関わる携行品管理装置の携行品確認処理の一例を示すフローチャートである。
【図１４】実施例３に関わる携行品管理装置の携行品確認処理の一例を示すフローチャートである。
【図１５】実施例４に関わる携行品管理装置の携行品管理機能実行部の動作例を説明するフローチャートである。
【発明を実施するための形態】
【００１０】
以下、本発明の実施例を、図面を用いて説明する。
【実施例１】
【００１１】
図１Ａは、本実施例の携行品管理装置の構成例を示すブロック図である。図１Ａにおいて、携行品管理装置１００は、主制御部１０１、システムバス１０２、ＲＯＭ（Read Only Memory）１０３、ＲＡＭ（Random Access Memory)１０４、ストレージ部１０５、操作部１０６、タグリーダ部１０７、拡張インタフェース部１０８、センサ部１１０、映像処理部１２０、音声処理部１３０、通信処理部１４０を有する。
【００１２】
図１Ｂは、本実施例の携行品管理装置１００のソフトウェア構成例を示す図であり、ＲＯＭ１０３、ＲＡＭ１０４、及びストレージ部１０５におけるソフトウェア構成を示す。詳細は後述する。
【００１３】
図２は、本実施例の携行品管理装置１００を含む携行品管理システムの構成例を示す図である。図２において、携行品管理システムは、携行品管理装置１００と、インターネット等の広域公衆ネットワーク２０１及びその無線通信用アクセスポイント２０２、移動体電話通信網の基地局２０３、地図情報データサーバ２１１、移動体電話通信サーバ２１２、無線タグ３００（３００−１〜３００−Ｎ）で構成される。
【００１４】
携行品管理装置１００は、携帯電話やスマートホンの他、ＰＤＡ（Personal  Digital  Assistant）やタブレット型のＰＣ（Personal  Computer）等、またはその他の携帯用デジタル機器であっても良い。
【００１５】
図１Ｂにおいて、主制御部１０１は、所定のプログラムに従って携行品管理装置１００全体を制御するマイクロプロセッサユニットである。システムバス１０２は主制御部１０１と携行品管理装置１００内の各部との間でデータ送受信を行うためのデータ通信路である。
【００１６】
ＲＯＭ１０３は、オペレーティングシステムなどの基本動作プログラムやその他のアプリケーションプログラムが格納されたメモリであり、例えばＥＥＰＲＯＭ（Electrically Erasable Programmable ROM）やフラッシュＲＯＭのような書き換え可能なＲＯＭが用いられる。ＲＯＭ１０３に格納されたプログラムを更新することにより、基本動作プログラムやその他のアプリケーションプログラムのバージョンアップや機能拡張が可能であるものとする。
【００１７】
ＲＡＭ１０４は基本動作プログラムやその他のアプリケーションプログラム実行時のワークエリアとなる。具体的には、例えばＲＯＭ１０３に格納された基本動作プログラム１０３ａはＲＡＭ１０４に展開され、更に主制御部１０１が前記展開された基本動作プログラムを実行することにより、基本動作実行部１０４ａを構成する。以下では、説明を簡単にするために、主制御部１０１が、ＲＯＭ１０３に格納された基本動作プログラム１０３ａをＲＡＭ１０４に展開して実行することにより、各部の制御を行う処理を基本動作実行部１０４ａが行うものとして記述する。なお、その他のアプリケーションプログラムに関しても同様の記述を行うものとする。
【００１８】
なお、ＲＯＭ１０３及びＲＡＭ１０４は主制御部１０１と一体構成であっても良い。また、ＲＯＭ１０３は、図１Ｂに示したような独立構成とはせず、ストレージ部１０５内の一部記憶領域を使用しても良い。また、ＲＡＭ１０４は、各種アプリケーションプログラム実行時に、必要に応じてデータを一時的に保持する一時記憶領域を備えるものとする。
【００１９】
ストレージ部１０５は、携行品管理装置１００の各種機能を実現するためのプログラムやプログラムの動作設定値等の情報を記憶する。
【００２０】
ストレージ部１０５の一部領域を以てＲＯＭ１０３の機能の全部または一部を代替しても良い。また、ストレージ部１０５は、携行品管理装置１００に電源が供給されていない状態であっても記憶している情報を保持する必要がある。したがって、例えばフラッシュＲＯＭやＳＳＤ（Solid State Drive）、ＨＤＤ（Hard Disc Drive）等のデバイスが用いられる。
【００２１】
図１Ａにおいて、操作部１０６は、携行品管理装置１００に対する操作指示の入力を行う指示入力部であり、本実施例では、後述する、表示部１２１に重ねて配置したタッチパネル１０６ｔ及び電源キー１０６ｋ１やホームキー１０６ｋ２等のボタンスイッチを並べた操作キー１０６ｋで構成されるものとする。なお、何れか一方のみであっても良い。
【００２２】
タグリーダ部１０７は、携行品ごとに設けられたＲＦＩＤ(Radio Frequency Identification)等の無線タグ３００のタグ情報を読み取るものである。
【００２３】
拡張インタフェース部１０８は、携行品管理装置１００の機能を拡張するためのインタフェース群であり、本実施例では、ＵＳＢ（Universal Serial Bus）インタフェース、メモリインタフェース等で構成されるものとする。ＵＳＢインタフェースはキーボードやその他のＵＳＢ機器の接続を行う。メモリインタフェースはメモリカードやその他のメモリ媒体を接続してデータの送受信を行う。
【００２４】
センサ部１１０は、携行品管理装置１００の状態を検出するためのセンサ群であり、本実施例では、ＧＰＳ（Global Positioning System）受信部１１１、加速度センサ１１２、ジャイロセンサ１１３、地磁気センサ１１４、照度センサ１１５、近接センサ１１６、で構成される。これらのセンサ群により、携行品管理装置１００の位置、動き、傾き、方角、及び周囲の明るさ、周囲物の近接状況、等を検出することが可能となる。その他のセンサを更に備えていても良い。
【００２５】
映像処理部１２０は、表示部１２１、映像信号処理部１２２、第１映像入力部１２３、第２映像入力部１２４、で構成される。表示部１２１は、例えば液晶パネル等の表示デバイスであり、映像信号処理部１２２で処理した映像データを携行品管理装置１００の使用者に提供する。映像信号処理部１２２は図示を省略したビデオＲＡＭを備え、前記ビデオＲＡＭに入力された映像データに基づいて表示部１２１が駆動される。また、映像信号処理部１２２は、必要に応じてフォーマット変換、メニューやその他のＯＳＤ（Ｏｎ  Ｓｃｒｅｅｎ  Ｄｉｓｐｌａｙ）信号の重畳処理等を行う機能を有するものとする。第１映像入力部１２３及び第２映像入力部１２４は、ＣＣＤ（Charge Coupled Device）やＣＭＯＳ（Complementary Metal Oxide Semiconductor）センサ等の電子デバイスを用いてレンズから入力した光を電気信号に変換することにより、周囲や対象物の映像データを入力するカメラユニットである。
【００２６】
音声処理部１３０は、音声出力部１３１、音声信号処理部１３２、音声入力部１３３、で構成される。音声出力部１３１はスピーカであり、音声信号処理部１３２で処理した音声信号を携行品管理装置１００の使用者に提供する。音声入力部１３３はマイクであり、使用者の声などを音声データに変換して入力する。  
通信処理部１４０は、ＬＡＮ（Local Area Network）通信部１４１、移動体電話網通信部１４２、ＢｌｕｅＴｏｏｔｈ（登録商標）通信部１４３、で構成される。ＬＡＮ通信部１４１はインターネット２０１の無線通信用アクセスポイント２０２と無線通信により接続してデータの送受信を行う。移動体電話網通信部１４２は移動体電話通信網の基地局２０３との無線通信により、電話通信（通話）及びデータの送受信を行う。ＢｌｕｅＴｏｏｔｈ通信部１４３は対応する機器と無線通信を行う。ＬＡＮ通信部１４１、移動体電話網通信部１４２、ＢｌｕｅＴｏｏｔｈ通信部１４３は、それぞれ符号回路や復号回路、アンテナ等を備えるものとする。更に、赤外線通信部等を備えていても良い。
【００２７】
次に、本実施例の携行品管理装置１００の動作に関して説明する。本実施例の携行品管理装置１００の動作は、図１Ｂに示したように、主として、ＲＯＭ１０３に記憶された基本動作プログラム１０３ａ、ストレージ部１０５に記憶された携行品管理プログラム１０５ａ、位置情報取得プログラム１０５ｂ及びスケジュール管理プログラム１０５ｃがＲＡＭ１０４に展開されて主制御部１０１により実行されることによって構成された、基本動作実行部１０４ａ、携行品管理機能実行部１０４ｂ、位置情報取得実行部１０４ｃ及びスケジュール管理実行部１０４ｄによって制御されるものとする。また、ストレージ部１０５には携行品を管理する場所の位置情報や携行品ごとに備えられた無線タグから読み取った固有のＩＤ等のタグ情報を記憶する携行品管理情報記憶領域１０５ｄ１、出張日時や宿泊場所等の情報を記憶するスケジュール情報記憶領域１０５ｄ２を有している。
【００２８】
図３に本実施例の携行品管理装置１００の外観例を示す。なお、図３は、携行品管理装置１００がスマートホン等の情報端末機器である場合の例である。
【００２９】
図３において、基本画面１２１ａは、電源キー１０６ｋ１押下より携行品管理装置１００の電源がオンされた際に、若しくは、任意のアプリケーションプログラムの実行中にホームキー１０６ｋ２が押下された際に表示部１２１に表示される。基本画面１２１ａには、携行品管理装置１００で実行可能な各アプリケーションプログラムに関連付けられたアイコン群１２１ａ１が表示され、何れかのアイコンを選択することにより、選択されたアイコンに関連付けられた所定のアプリケーションプログラムが実行される。
【００３０】
なお、前記アイコンの選択は、目的のアイコンが表示された表示部１２１上の位置に対応するタッチパネル１０６ｔ上の所定の領域をタップ操作する等により行えば良い。或いは、図示を省略した十字カーソルキー及び決定キー等の操作キーを操作して行っても良い。
【００３１】
基本画面１２１ａで表示されるアイコン１２１ａ２は、本実施例の携行品管理装置１００の特徴を為す携行品管理プログラム１０５ｂに関連付けられたアイコンである。アイコン１２１ａ２をタップ操作等で選択することにより、携行品管理機能実行部１０４ｂが起動する。
【００３２】
以下、図４に示すフローチャートを用いて、本実施例の携行品管理装置１００の特徴を為す携行品管理機能の動作例について説明する。基本動作実行部１０４ａの制御に基づいて動作する携行品管理装置１００において、基本画面１２１ａ上のアイコン１２１ａ２をタップ操作等により選択すると、基本動作実行部１０４ａは携行品管理機能実行部１０４ｂを起動し、制御主体を携行品管理機能実行部１０４ｂに委譲する。
【００３３】
図４において、携行品管理機能実行部１０４ｂでは、まず携行品管理処理選択画面１２１ｂを表示する（Ｓ１０１）。図５に携行品管理処理選択画面１２１ｂの表示例を示す。携行品管理処理選択画面１２１ｂは、携行品登録アイコン１２１ｂ１、携行品確認アイコン１２１ｂ２、終了アイコン１２１ｂ３で構成される。
【００３４】
続いて、携行品管理機能実行部１０４ｂは、ユーザのタップ操作等による携行品リスト画面１２１ｂを構成するアイコンの選択入力の受け付けを行い（Ｓ１０２）、選択したアイコンに従って分岐処理Ｓ１０３を実行する。
【００３５】
Ｓ１０２において携行品登録アイコン１２１ｂ１の選択入力を受け付けた場合には、分岐処理Ｓ１０３において携行品登録処理Ｓ１０４に分岐する。
【００３６】
Ｓ１０２において携行品確認アイコン１２１ｂ２の選択入力を受け付けた場合には、分岐処理Ｓ１０３において携行品確認処理Ｓ１０５に分岐する。
【００３７】
Ｓ１０２において終了アイコン１２１ｂ３の選択入力を受け付けた場合には、分岐処理Ｓ１０３において携行品管理機能実行部１０４ｂは制御主体を基本動作実行部１０４ａに返却し、更に、基本動作実行部１０４ａは、基本画面１２１ａを表示して、携行品管理機能実行部１０４ｂの動作を終了する。
【００３８】
携行品登録処理Ｓ１０４、携行品確認処理Ｓ１０５の各処理の実行後は、Ｓ１０１に戻って携行品管理処理選択画面１２１ｂを表示する。
【００３９】
次に、携行品登録処理Ｓ１０４について図６のフローチャートを用いて説明する。図６において、まず、タグリーダ部１０７により携行品管理装置１００の周辺に存在する無線タグ３００のタグ情報の読み取りを行う（Ｓ２０１）。ここで、無線タグ３００は管理する携行品ごとに設けられており、複数の携行品を携行している場合には複数の無線タグのタグ情報を読み込む。
【００４０】
読み取った無線タグのタグ情報に基づいて、表示部１２１に携行品リスト画面１２１ｃを表示する（Ｓ２０２）。図８（ａ）に携行品リスト画面１２１ｃの表示例を示す。携行品リスト画面１２１ｃは、読み取った無線タグのタグ情報に対応した携行品のリスト１２１ｃ１、読取アイコン１２１ｃ２、登録アイコン１２１ｃ３、終了アイコン１２１ｃ４で構成される。リスト１２１ｃ１には読み取ったタグ情報に含まれる固有のＩＤ情報等が表示される。また、携行品登録情報として予め無線タグのＩＤに対応した携行品の品名が携行品管理情報記憶領域１０５ｄ１に記憶されている場合、或いはタグ情報に品名に関する情報が含まれる場合には品名が表示される。
【００４１】
続いて、携行品管理機能実行部１０４ｂは、ユーザのタップ操作等による携行品リスト画面１２１ｃを構成するアイコンの選択入力の受け付けを行い（Ｓ２０３）、選択したアイコンに従って分岐処理Ｓ２０４を実行する。
【００４２】
Ｓ２０３において終了アイコン１２１ｃ４の選択入力を受け付けた場合には、分岐処理Ｓ２０４において携行品管理機能実行部１０４ｂは携行品登録処理Ｓ１０４を終了し、図４のＳ１０１に戻って携行品管理処理選択画面１２１ｂを表示する。
【００４３】
Ｓ２０３において読取アイコン１２１ｃ２の選択入力を受け付けた場合には、分岐処理Ｓ２０４においてＳ２０１に戻り、再度、携行品管理装置１００の周辺に存在する携行品の無線タグ３００のタグ情報の読み取りを行う。
【００４４】
Ｓ２０３において登録アイコン１２１ｃ３の選択入力を受け付けた場合には、Ｓ２０１で読み込んだ携行品の無線タグのタグ情報を携行品登録情報として携行品管理情報記憶領域１０５ｄ１に記憶（Ｓ２０５）した後、携行品登録処理Ｓ１０４を終了し、図４のＳ１０１に戻って携行品管理処理選択画面１２１ｂを表示する。
【００４５】
なお、図６において、Ｓ２０１でタグ情報の読み取りを行なった後、確認のためのＳ２０２の携行品リスト画面表示を省略しても良く、また、Ｓ２０３の選択入力の受け付けや、Ｓ２０４の分岐処理を行なわずに、Ｓ２０５の携行品管理情報記憶領域への記憶処理を行うようにしても良い。
【００４６】
次に携行品確認処理Ｓ１０５について、図７のフローチャートを用いて説明する。図７において、携行品確認処理では、まずタグリーダ部１０７により携行品管理装置１００の周辺に存在する携行品の無線タグ３００のタグ情報の読み取りを行う（Ｓ３０１）。次に携行品登録処理Ｓ１０４で携行品管理情報記憶領域１０５ｄ１に携行品登録情報として記憶した携行品の無線タグ情報とＳ３０１で読み込んだ携行品の無線タグ情報を照合し、携行品登録情報として記憶した携行品の無線タグに対して、Ｓ３０１で読み込んだ携行品の無線タグに含まれなかったものを携行忘れ品と判定する（Ｓ３０２）。次に、携行品忘れの有無により分岐処理を行い（Ｓ３０３）、携行品忘れがない場合（Ｎｏ）には、携行品確認処理Ｓ１０５を終了し、図４のＳ１０１に戻って携行品管理処理選択画面１２１ｂを表示する。
【００４７】
携行品忘れがある場合（Ｙｅｓ）には、表示部１２１に携行品リスト画面１２１ｄを表示する（Ｓ３０４）。図８（ｂ）に携行品リスト画面１２１ｄの表示例を示す。携行品リスト画面１２１ｄは、携行品のリスト１２１ｄ１、確認アイコン１２１ｄ２、終了アイコン１２１ｄ３で構成される。リスト１２１ｄ１には読み取った無線タグ情報に含まれる固有のＩＤ情報及び品名等が表示される。また、Ｓ３０２において携行忘れ品として判定された携行品について、例えば表示の色を反転する等により携行忘れ品と判定されたことがわかるように表示する（ここでは、ＩＤ＝ｘｘｘｘ４、品名＝傘が携行忘れ品と判断された例を示している）。
【００４８】
続いて、携行品管理機能実行部１０４ｂは、ユーザのタップ操作等による携行品リスト画面１２１ｄを構成するアイコンの選択入力の受け付けを行い（Ｓ３０５）、選択したアイコンに従って分岐処理Ｓ３０６を実行する。
【００４９】
Ｓ３０５において確認アイコン１２１ｄ２の選択入力を受け付けた場合には、分岐処理Ｓ３０６においてＳ３０１に戻り、再度、携行品管理装置１００の周辺に存在する無線タグ３００のタグ情報の読み取りを行う。
【００５０】
Ｓ３０５において終了アイコン１２１ｄ３の選択入力を受け付けた場合には、分岐処理Ｓ３０６において携行品確認処理Ｓ１０５を終了し、図４のＳ１０１に戻って携行品管理処理選択画面１２１ｂを表示する。
【００５１】
なお、Ｓ３０３で携行品忘れがない場合には携行品確認処理を終了するとしたが、携行品忘れがない場合でも、携行品リストの表示及び携行品忘れがない旨の表示をしても良い。
【００５２】
よって、本実施例では、例えば自宅を出る際、或いは出張先や旅行先の宿泊場所に到着した時点で携行品の無線タグのタグ情報の読み取りを行い、読み取った無線タグに対応する携行品を携行品として登録し、宿泊先を出るときに携行品の確認を行うことで、自宅を出る際、或いは出張先や旅行先の宿泊場所に到着した時点の携行品に対して、宿泊先を出るときの携行品忘れを確認することができる。
【００５３】
以上のように本実施例は、携行品管理装置であって、携行品に設けられた無線タグのタグ情報を読み取るリーダ部と、リーダ部で読み取ったタグ情報を記憶する記憶部と、記憶部に記憶したタグ情報とリーダ部により新たに読み取ったタグ情報とを照合して携行品忘れの判定を行う制御部とを備えた構成とする。
【００５４】
また、携行品管理方法であって、携行品に設けられた無線タグのタグ情報を読み取る第１のタグ情報読取工程と、第１のタグ情報読取工程で読み取ったタグ情報を記憶する工程と、携行品に設けられた無線タグのタグ情報を読み取る第２のタグ情報読取工程と、記憶したタグ情報と第２のタグ情報読取工程で読み取ったタグ情報を照合して携行品忘れの判定を行う工程とを有する。
【００５５】
これにより、より好適な使い勝手を実現する携行品管理装置及び携行品管理方法を提供することができる。
【実施例２】
【００５６】
本実施例における携行品管理機能の動作を図９のフローチャートを用いて説明する。
【００５７】
基本動作実行部１０４ａの制御に基づいて動作する携行品管理装置１００において、基本画面１２１ａ上のアイコン１２１ａ２をタップ操作等により選択すると、基本動作実行部１０４ａは携行品管理機能実行部１０４ｂを起動し、制御主体を携行品管理機能実行部１０４ｂに委譲する。
【００５８】
図９において、携行品管理機能実行部１０４ｂでは、まず携行品管理処理選択画面１２１ｅを表示する（Ｓ４０１）。図１０に携行品管理処理選択画面１２１ｅの表示例を示す。図１０に示すように、携行品管理処理選択画面１２１ｅは、携行品管理場所登録アイコン１２１ｅ１、携行品登録アイコン１２１ｅ２、終了アイコン１２１ｅ３で構成される。
【００５９】
図９に戻って、続いて、携行品管理機能実行部１０４ｂは、ユーザのタップ操作等による携行品管理処理選択画面１２１ｅを構成するアイコンの選択入力の受け付けを行い（Ｓ４０２）、選択したアイコンに従って分岐処理Ｓ４０３を実行する。
【００６０】
Ｓ４０２において携行品管理場所登録アイコン１２１ｅ１の選択入力を受け付けた場合には、分岐処理Ｓ２０３において携行品管理場所登録処理Ｓ４０４に分岐する。
【００６１】
Ｓ４０２において携行品登録アイコン１２１ｅ２の選択入力を受け付けた場合には、分岐処理Ｓ４０３において携行品登録処理Ｓ４０５に分岐する。
【００６２】
Ｓ４０２において選択入力がない場合には、分岐処理Ｓ４０３において携行品確認処理Ｓ４０６に分岐する。
【００６３】
Ｓ４０２において終了アイコン１２１ｅ３の選択入力を受け付けた場合には、分岐処理Ｓ４０３において携行品管理機能実行部１０４ｂは制御主体を基本動作実行部１０４ａに返却し、更に、基本動作実行部１０４ａは、基本画面１２１ａを表示して、携行品管理機能実行部１０４ｂの動作を終了する。
【００６４】
携行品管理場所登録処理Ｓ４０４、携行品登録処理Ｓ４０５、携行品確認処理Ｓ４０６の各処理の実行後、Ｓ４０１に戻る。
【００６５】
携行品管理場所登録処理Ｓ４０４について、図１１のフローチャートを用いて説明する。図１１において、携行品管理場所登録処理として、まず図１２（ａ）に示すような管理場所入力方法選択画面１２１ｆを表示する（Ｓ５０１）。管理場所入力方法選択画面１２１ｆは現在地入力アイコン１２１ｆ１と地図入力アイコン１２１ｆ２で構成される。
【００６６】
続いて、ユーザのタップ操作等による管理場所入力方法選択画面１２１ｆを構成するアイコンの選択入力の受け付けを行い（Ｓ５０２）、選択したアイコンに従って分岐処理Ｓ５０３を実行する。
【００６７】
Ｓ５０２において現在地入力アイコン１２１ｆ１の選択入力を受け付けた場合には、分岐処理Ｓ５０３においてＳ５０４に分岐し、位置情報取得実行部１０４ｃによりＧＰＳ受信部１１１で受信した信号に基づいて位置情報を取得する。取得した位置情報を携行品管理場所登録情報としてストレージ部１０５の携行品管理情報記憶領域１０５ｄ１に記憶し（Ｓ５０６）、処理を終了する。
【００６８】
Ｓ５０２において地図入力アイコン１２１ｆ２の選択入力を受け付けた場合には、分岐処理Ｓ５０３においてＳ５０５に分岐し、地図入力処理を実行する。
【００６９】
地図入力処理Ｓ５０５では図１２（ｂ）に示すような地図入力画面１２１ｇを表示部１２１に表示する。地図入力画面１２１ｇは検索した場所付近の地図とともに、検索ボックス１２１ｇ１、検索アイコン１２１ｇ２、登録アイコン１２１ｇ３、登録する携行品管理場所の位置を示すアイコン１２１ｇ４で構成される。検索ボックス１２１ｇ１に携行品管理場所として登録する場所の情報を入力し、検索アイコン１２１ｇ２をタップすることにより検索が行われ、検索した場所の位置付近の地図及び検索した場所の位置にアイコン１２１ｇ４が表示される。或いはアイコン１２１ｇ４を指でタッチしたまま表示された地図上の位置を移動させ、登録したい位置で指を離すことでアイコン１２１ｇ４の位置を移動させる。登録アイコン１２１ｇ３をタップすることで、アイコン１２１ｇ４が表示された地図上の位置が携行品管理場所の位置情報として取得される。取得した位置情報を携行品管理場所登録情報としてストレージ部１０５の携行品管理情報記憶領域１０５ｄ１に記憶し（Ｓ５０６）、処理を終了する。
【００７０】
次に携行品確認処理Ｓ４０６について、図１３のフローチャートを用いて説明する。図１３において、携行品確認処理では、まず携行品管理場所が登録済か否かによる分岐処理を行う（Ｓ６０１）。携行品管理場所の登録が行われていない場合（Ｎｏ）には携行品確認処理Ｓ４０６を終了し、図９のＳ４０１に戻って携行品管理処理選択画面１２１ｅを表示する。携行品管理場所の登録が行われている場合（Ｙｅｓ）にはＳ６０２に進み、携行品が登録済か否かによる分岐処理を行う。携行品が登録されていない場合（Ｎｏ）には、携行品確認処理Ｓ４０６を終了し、図９のＳ４０１に戻って携行品管理処理選択画面１２１ｅを表示する。携行品が登録済の場合（Ｙｅｓ）には、位置情報取得実行部１０４ｃによりＧＰＳ受信部１１１で受信した信号に基づいて位置情報を取得する（Ｓ６０３）。
【００７１】
次に、取得した位置が携行品管理場所登録情報として携行品管理情報記憶領域１０５ｄ１に記憶した位置から所定の距離の範囲内（例えば２０ｍ以内）か否かにより分岐処理を行う（Ｓ６０４）。取得した位置が所定の距離の範囲内の場合（Ｙｅｓ）には、所定場所を離れていないと判断し、携行品確認処理Ｓ４０６を終了する。取得した位置が所定の距離の範囲外の場合（Ｎｏ）には、所定場所を離れたと判断し、タグリーダ部１０７により携行品管理装置１００の周辺に存在する携行品の無線タグ３００のタグ情報の読み取りを行う（Ｓ６０５）。次に携行品登録処理Ｓ４０５で携行品管理情報記憶領域１０５ｄ１に携行品登録情報として記憶した携行品の無線タグ情報とＳ６０５で読み取った携行品の無線タグ情報を照合し、携行品登録情報として記憶した携行品の無線タグに対して、Ｓ６０５で読み込んだ携行品の無線タグに含まれなかったものを携行忘れ品と判定する（Ｓ６０６）。次に、携行品忘れの有無により分岐処理を行い（Ｓ６０７）、携行品忘れがない場合（Ｎｏ）には、携行品確認処理Ｓ４０６を終了し、図９のＳ４０１に戻って携行品管理処理選択画面１２１ｅを表示する。なお、携行品忘れがない場合、携行品忘れがない旨の表示をしても良い。
【００７２】
携行品忘れがある場合（Ｙｅｓ）には、携行品忘れ表示部１２１に図８（ｂ）に示すような携行品リスト画面１２１ｄを表示する（Ｓ６０８）。携行品リスト画面１２１ｄは、携行品のリスト１２１ｄ１、確認アイコン１２１ｄ２、終了アイコン１２１ｄ３で構成される。
【００７３】
続いて、携行品管理機能実行部１０４ｂは、ユーザのタップ操作等による携行品リスト画面１２１ｄを構成するアイコンの選択入力の受け付けを行い（Ｓ６０９）、選択したアイコンに従って分岐処理Ｓ６１０を実行する。
【００７４】
Ｓ６０９において確認アイコン１２１ｄ２の選択入力を受け付けた場合には、分岐処理Ｓ６１０においてＳ６０５に戻り、再度、携行品管理装置１００の周辺に存在する無線タグ３００のタグ情報の読み取りを行う。
【００７５】
Ｓ６０９において終了アイコン１２１ｄ３の選択入力を受け付けた場合には、分岐処理Ｓ６１０において携行品確認処理Ｓ４０６を終了し、図９のＳ４０１に戻って携行品管理処理選択画面１２１ｅを表示する。
【００７６】
携行品登録処理Ｓ４０５は図４の携行品登録処理Ｓ１０４と同じであり、説明を省略する。
【００７７】
よって、本実施例では、例えば自宅を出る際に携行品の無線タグのタグ情報の読み取り・携行品登録情報の記憶を行う、或いは出張先や旅行先の宿泊場所に到着した時点で携行品の無線タグのタグ情報の読み取り・携行品登録情報の記憶を行なう。また、予め地図入力で出張先や旅行先の宿泊場所を携行品管理場所として記憶、或いは出張先や旅行先の宿泊場所に到着した時点で携行品管理場所として現在地の位置情報の取得・記憶を行う。そして、携行品管理場所を離れた場合、自動的に携行品のタグ情報の読み取を行い、携行品の確認を行う。これにより、自宅を出た時点の携行品或いは宿泊場所に到着した時点の携行品のうち、携行品管理場所である宿泊場所から離れるときの携行品に含まれないものが携行忘れ品として自動的に表示されるため、出張先や旅行先での携行忘れを防止することができる。
【００７８】
以上のように本実施例は、携行品管理装置であって、携行品に設けられた無線タグのタグ情報を読み取るリーダ部と、リーダ部で読み取ったタグ情報を記憶する記憶部と、記憶部に記憶したタグ情報とリーダ部により新たに読み取ったタグ情報とを照合して携行品忘れの判定を行う制御部とを備え、位置算出信号を取得する信号受信部と、信号受信部が受信した位置算出信号から位置情報を取得する位置情報取得部とを有し、記憶部は、リーダ部で読み取ったタグ情報と位置情報取得部で取得した位置情報を記憶し、制御部は、記憶部に記憶された位置情報の位置から所定の範囲外に移動したときにリーダ部により新たにタグ情報の読み取りを行い、新たに読み取ったタグ情報と記憶部に記憶したタグ情報とを照合して携行品忘れの判定を行うように構成する。
【００７９】
また、携行品管理方法であって、携行品に設けられた無線タグのタグ情報を読み取る第１のタグ情報読取工程と、第１のタグ情報読取工程で読み取ったタグ情報を記憶する工程と、携行品に設けられた無線タグのタグ情報を読み取る第２のタグ情報読取工程と、記憶したタグ情報と第２のタグ情報読取工程で読み取ったタグ情報を照合して携行品忘れの判定を行う工程とを有し、位置情報を取得する位置情報取得工程と、位置情報取得工程で取得した位置情報を記憶する工程と、記憶した位置情報の位置から所定の範囲外に移動したことを検出する移動検出工程とを有し、第２のタグ情報読取工程は、移動検出工程で移動したことを検出したときに携行品に設けられた無線タグのタグ情報を読み取るように構成する。
【実施例３】
【００８０】
本実施例はスケジュール情報に基づいて携行品管理場所の位置情報の取得・携行品管理場所登録情報の記憶を行うものである。
【００８１】
本実施例における携行品確認処理Ｓ４０６の動作を図１４のフローチャートを用いて説明する。図１４において、図１３と同じ処理部分には同じ符号を付し、説明を省略する。
【００８２】
図１４に示す携行品確認処理では、まず携行品管理場所が登録済か否かによる分岐処理を行う（Ｓ６０１）。携行品管理場所の登録が行われている場合（Ｙｅｓ）にはＳ６０２に進み、携行品が登録済か否かによる分岐処理を行う。以降、図１３に示す携行品確認処理と同様の処理を行う。
【００８３】
携行品管理場所の登録が行われていない場合（Ｎｏ）には、スケジュール情報記憶領域１０５ｄ２からスケジュール情報を読み込み（Ｓ６２０）、スケジュール情報に現在の時刻以降の移動先の情報の記載があるか否かによる分岐処理を行う（Ｓ６２１）。移動先の情報の記載がない場合（Ｎｏ）には携行品確認処理Ｓ４０６を終了し、図９のＳ４０１に戻って携行品管理処理選択画面１２１ｅを表示する。移動先の情報の記載がある場合（Ｙｅｓ）には移動先の位置情報を広域公衆ネットワーク２０１に接続した地図情報データサーバ２１１から取得する（Ｓ６２２）。取得した位置情報を携行品管理場所登録情報として携行品管理情報記憶領域１０５ｄ１に記憶し（Ｓ６２３）、Ｓ６０２に進み、携行品が登録済か否かによる分岐処理を行う。以降、図１３に示す携行品確認処理と同様の処理を行う。
【００８４】
本実施例では、スケジュール情報記憶領域に記憶されたスケジュールに出張先や旅行先の宿泊場所の情報が記憶されている場合には、ユーザがわざわざ宿泊場所に到着した時点で携行品管理場所を登録することなく、出張先や旅行先での携行忘れを防止することができる。
【００８５】
また、上記の実施例において、スケジュール記憶領域に記憶されたスケジュールに出張先や旅行先の宿泊場所の情報が記憶されている場合に、予め宿泊場所の位置を携行品管理場所の登録情報として記憶し、ユーザが記憶した位置から所定の距離の範囲内に移動した時点で携行品の無線タグのタグ情報の読み込み・携行品登録情報として記憶するようにしてもよい。この場合には宿泊場所に到着した時点の携行品のうち、宿泊場所から離れるときの携行品に含まれないものが携行忘れ品として表示されるため、出張先や旅行先での携行忘れを防止することができる。
【００８６】
以上のように本実施例は、携行品管理装置であって、携行品に設けられた無線タグのタグ情報を読み取るリーダ部と、リーダ部で読み取ったタグ情報を記憶する記憶部と、記憶部に記憶したタグ情報とリーダ部により新たに読み取ったタグ情報とを照合して携行品忘れの判定を行う制御部とを備え、スケジュール情報を取得するスケジュール情報取得部と、スケジュール情報取得部が取得したスケジュール情報から移動先位置情報を取得する移動先位置情報取得部とを有し、記憶部は、リーダ部で読み取ったタグ情報と移動先位置情報取得部で取得した移動先位置情報を記憶し、制御部は、記憶部に記憶された移動先位置情報の位置から所定の範囲外に移動したときにリーダ部により新たにタグ情報の読み取りを行い、新たに読み取ったタグ情報と記憶部に記憶したタグ情報とを照合して携行品忘れの判定を行うように構成する。
【００８７】
また、携行品管理方法であって、携行品に設けられた無線タグのタグ情報を読み取る第１のタグ情報読取工程と、第１のタグ情報読取工程で読み取ったタグ情報を記憶する工程と、携行品に設けられた無線タグのタグ情報を読み取る第２のタグ情報読取工程と、記憶したタグ情報と第２のタグ情報読取工程で読み取ったタグ情報を照合して携行品忘れの判定を行う工程とを有し、スケジュール情報を取得するスケジュール情報取得工程と、スケジュール情報取得工程で取得したスケジュール情報から移動先位置情報を取得する移動先位置情報取得工程と、移動先位置情報を記憶する工程と、記憶した移動先位置情報の位置から所定の範囲外に移動したことを検出する移動検出工程とを有し、第２のタグ情報読取工程は、移動検出工程で移動したことを検出したときに携行品に設けられた無線タグのタグ情報を読み取るように構成する。
【実施例４】
【００８８】
本実施例では、携行品管理場所の位置情報の取得・携行品管理場所登録情報の記憶と携行品の携行品の無線タグのタグ情報の読み取り・携行品登録情報の記憶を連続して行うものである。
【００８９】
図１５に示すフローチャートを用いて、本実施例における携行品管理装置１００の携行品管理機能の動作例について説明する。
【００９０】
基本動作実行部１０４ａの制御に基づいて動作する携行品管理装置１００において、基本画面１２１ａ上のアイコン１２１ａ２をタップ操作等により選択すると、基本動作実行部１０４ａは携行品管理機能実行部１０４ｂを起動し、制御主体を携行品管理機能実行部１０４ｂに委譲する。
【００９１】
携行品管理機能実行部１０４ｂでは、まず位置情報取得実行部１０４ｃによりＧＰＳ受信部１１１で受信した信号に基づいて位置情報を取得し（Ｓ７０１）、取得した位置情報を携行品管理場所の登録情報としてストレージ部１０５の携行品管理情報記憶領域１０５ｄ１に記憶する（Ｓ７０２）。
【００９２】
次に、タグリーダ部１０７により携行品管理装置１００の周辺に存在する無線タグ３００のタグ情報の読み取りを行う（Ｓ７０３）。
【００９３】
読み取った無線タグのタグ情報に基づいて、表示部１２１に図８（ａ）に示すような携行品リスト画面１２１ｃを表示する（Ｓ７０４）。携行品リスト画面１２１ｃは、読み取った無線タグのタグ情報に対応した携行品のリスト１２１ｃ１、読取アイコン１２１ｃ２、登録アイコン１２１ｃ３、終了アイコン１２１ｃ４で構成される。
【００９４】
続いて、携行品管理機能実行部１０４ｂは、ユーザのタップ操作等による携行品リスト画面１２１ｃを構成するアイコンの選択入力の受け付けを行い（Ｓ７０５）、選択したアイコンに従って分岐処理Ｓ７０６を実行する。
【００９５】
Ｓ７０５において終了アイコン１２１ｃ４の選択入力を受け付けた場合には、分岐処理Ｓ７０６において携行品管理機能実行部１０４ｂは制御主体を基本動作実行部１０４ａに返却し、更に、基本動作実行部１０４ａは、基本画面１２１ａを表示して、携行品管理機能実行部１０４ｂの動作を終了する。
【００９６】
Ｓ７０５において読取アイコン１２１ｃ２の選択入力を受け付けた場合には、分岐処理Ｓ７０６においてＳ７０３に戻り、再度、携行品管理装置１００の周辺に存在する携行品の無線タグ３００のタグ情報の読み取りを行う。
【００９７】
Ｓ７０５において登録アイコン１２１ｃ３の選択入力を受け付けた場合には、Ｓ７０３で読み込んだ携行品の無線タグのタグ情報を携行品登録情報として携行品管理情報記憶領域１０５ｄ１に記憶する（Ｓ７０７）。
【００９８】
続いて位置情報取得実行部１０４ｃにより位置情報を取得し（Ｓ７０８）、取得した位置が携行品管理場所登録情報として携行品管理情報記憶領域１０５ｄ１に記憶した位置から所定の距離の範囲内か否かにより分岐処理を行う（Ｓ７０９）。Ｓ７０８で取得した位置が所定の距離の範囲内の場合（Ｙｅｓ）には、Ｓ７０８に戻る。Ｓ７０８で取得した位置が所定の距離の範囲外の場合（Ｎｏ）には、タグリーダ部１０７により携行品管理装置１００の周辺に存在する携行品の無線タグ３００のタグ情報の読み取りを行う（Ｓ７１０）。次にＳ７０７において携行品管理情報記憶領域１０５ｄ１に携行品登録情報として記憶した無線タグ情報とＳ７１０で読み取った携行品の無線タグ情報を照合し、携行品登録情報として記憶した無線タグに対してＳ７１０で読み取った携行品の無線タグに含まれなかったものを携行忘れ品と判定する（Ｓ７１１）。次に、携行品忘れの有無により分岐処理を行い（Ｓ７１２）、携行品忘れがない場合（Ｎｏ）には、携行品管理機能実行部１０４ｂは制御主体を基本動作実行部１０４ａに返却し、更に、基本動作実行部１０４ａは、基本画面１２１ａを表示して、携行品管理機能実行部１０４ｂの動作を終了する。
【００９９】
携行品忘れがある場合（Ｙｅｓ）には、携行品忘れ表示部１２１に図８（ｂ）に示すような携行品リスト画面１２１ｄを表示する（Ｓ７１３）。携行品リスト画面１２１ｄは、携行品のリスト１２１ｄ１、確認アイコン１２１ｄ２、終了アイコン１２１ｄ３で構成される。
【０１００】
続いて、携行品管理機能実行部１０４ｂは、ユーザのタップ操作等による携行品リスト画面１２１ｄを構成するアイコンの選択入力の受け付けを行い（Ｓ７１４）、選択したアイコンに従って分岐処理Ｓ７１５を実行する。
【０１０１】
Ｓ７１４において確認アイコン１２１ｄ２の選択入力を受け付けた場合には、分岐処理Ｓ７１５においてＳ７１０に戻り、再度、携行品管理装置１００の周辺に存在する無線タグ３００のタグ情報の読み取りを行う。
【０１０２】
Ｓ７１４において終了アイコン１２１ｄ３の選択入力を受け付けた場合には、分岐処理Ｓ７１５において携行品管理機能実行部１０４ｂは制御主体を基本動作実行部１０４ａに返却し、更に、基本動作実行部１０４ａは、基本画面１２１ａを表示して、携行品管理機能実行部１０４ｂの動作を終了する。
【０１０３】
なお、Ｓ７０３でタグ情報の読み取りを行なった後、確認のためのＳ７０４の携行品リスト画面表示を省略しても良く、また、Ｓ７０５の選択入力の受け付けや、Ｓ７０６の分岐処理を行なわずに、Ｓ７０７の携行品管理情報記憶領域への記憶処理を行うようにしても良い。
【０１０４】
以上の実施例では、例えば出張先や旅行先の宿泊場所に到着した時点で携行品管理機能実行部１０４ｂを起動することにより、宿泊場所に到着した時点の携行品のうち、宿泊場所から離れるときの携行品に含まれないものが携行忘れ品として表示されるため、出張先や旅行先からの携行忘れを防止することができる。
【０１０５】
以上の実施例１から実施例４では、例えば自宅を出る際、或いは出張先や旅行先の宿泊場所に到着した時点で携行品の無線タグのタグ情報の読み取りを行い、読み取った無線タグに対応する携行品を携行品として登録するため、予め携行品のリストを作成・登録する必要がない。
【０１０６】
また、実施例１から実施例３において、自宅を出る際に携行品の無線タグのタグ情報の読み取り・携行品登録情報の記憶を行う場合には、携行品リスト画面１２１ｃをみることで、出張先や旅行先に持っていく携行品を確認することができる。
【０１０７】
また、実施例２から実施例４では出張先や旅行先の宿泊場所などの登録した位置から離れる際に自動的に携行品忘れの確認が行われ、忘れ物があった場合には表示等により通知することができる。
【０１０８】
なお、上記実施例の説明では位置情報取得実行部１０４ｃはＧＰＳ受信部１１１で受信した信号に基づいて位置情報を取得するものとしたが、これに限らずＬＡＮ通信部１４１で取得し出張先や宿泊先等に設置された無線通信用アクセスポイント２０２のＳＳＩＤ（Service Set Identifier）等の情報を用いて位置情報を取得するようにしてもよい。
【０１０９】
また、出張先や宿泊先等に設置された無線通信用アクセスポイント２０２のＳＳＩＤが検出可能か否かにより撮影除外場所から所定の距離の範囲内か否かを判断するようにしてもよい。或いは移動体通信網の基地局２０３の固有情報を用いて位置情報を取得するようにしてもよい。或いは出張先や宿泊先等に設置されたＢｌｕｅＴｏｏｔｈ通信を用いたビーコン等により位置情報を取得するようにしてもよい。さらに、無線通信用アクセスポイント２０２或いは移動体通信網の基地局２０３から受信する電波の強度を用いて位置情報を取得するようにしてもよい。
【０１１０】
また、上記実施例では携行品忘れがあるときに携行品リスト画面１２１ｄを表示するようにしたが、表示に加えて音或いは/及び振動により携行品忘れを通知するようにしてもよい。さらに、携行品管理装置１００とＢｌｕｅＴｏｏｔｈ通信等で連携した腕時計型等の情報端末に通知を行うようにしてもよい。
【０１１１】
また、上記実施例の機能等は、それらの一部または全部を、例えば集積回路で設計する等によりハードウェアで実現しても良い。また、マイクロプロセッサユニット等がそれぞれの機能等を実現するプログラムを解釈して実行することによりソフトウェアで実現しても良い。また、ハードウェアとソフトウェアを併用しても良い。
【０１１２】
また、上記実施例においては、本発明の機能等を、主として、携行品管理プログラム１０５ａと位置情報取得プログラム１０５ｂとスケジュール管理プログラム１０５ｃの三つのプログラムを実行することにより実現するものとして記述しているが、前記三つのプログラムの各機能と同一の機能を有する只一つのプログラムを実行することにより、本発明の機能を実現するように構成しても良い。
【０１１３】
また、上記実施例の携行品管理装置１００ではタグリーダ部１０７を内蔵する構成例を示したが、無線タグ３００のタグ情報を読み取る機器を別途設け、拡張インタフェース部１０８を介して読み取った情報を取得するようにしてもよい。
【０１１４】
また、図中に示した制御線や情報線は説明上必要と考えられるものを示しており、必ずしも製品上の全ての制御線や情報線を示しているとは限らない。実際には殆ど全ての構成が相互に接続されていると考えても良い。
【０１１５】
以上実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【０１１６】
１００：携行品管理装置、１０１：主制御部、１０２：システムバス、１０３：ＲＯＭ、１０４：ＲＡＭ、１０４ａ：基本動作実行部、１０４ｂ：携行品管理機能実行部、１０４ｃ：位置情報取得実行部、１０４ｄ：スケジュール管理実行部、１０５：ストレージ部、１０６：操作部、１０７：タグリーダ部、１１０：センサ部、１２０：映像処理部、１２１：表示部、１３０：音声処理部、１４０：通信処理部
【図１Ａ】
2017117290.tif 000003
【図１Ｂ】
2017117290.tif 000004
【図２】
2017117290.tif 000005
【図３】
2017117290.tif 000006
【図４】
2017117290.tif 000007
【図５】
2017117290.tif 000008
【図６】
2017117290.tif 000009
【図７】
2017117290.tif 000010
【図８】
2017117290.tif 000011
【図９】
2017117290.tif 000012
【図１０】
2017117290.tif 000013
【図１１】
2017117290.tif 000014
【図１２】
2017117290.tif 000015
【図１３】
2017117290.tif 000016
【図１４】
2017117290.tif 000017
【図１５】
2017117290.tif 000018